(57)【要約】      （修正有）【課題】プラグコネクタが不正確に挿入されるのを防ぐことができる電気接続デバイスを提供する。【解決手段】フレーム本体２１は、第１の絶縁ハウジングの装着部に組み立てられ、嵌合部１１２が通過することを可能にする開口部を有する。雌型ラッチユニット２２および停止ブロック２３は、フレーム本体２１からそれぞれ突出し、対向する両側で位置決めされ、嵌合空間をともに画定するように嵌合部１１２から離間される。第２の絶縁ハウジング４は、ハウジング本体４１、およびハウジング本体４１の片側で形成され、かつ雌型ラッチユニット２２と係合される雄型ラッチユニット４２を有する。プラグコネクタ３が不正確に挿入されると、プラグコネクタ３は、ガイドフレーム２の停止ブロック２３に妨げられることにより、嵌合空間の中に入ってレセプタクルコネクタ１と嵌合することができない。【選択図】図４
2014135280.tif 000002
【特許請求の範囲】
【請求項１】
電気接続デバイスであって、
第１の絶縁ハウジングを備えるレセプタクルコネクタであって、前記第１の絶縁ハウジングが、装着部と、該装着部から突出する嵌合部と、を有する、レセプタクルコネクタと、
該レセプタクルコネクタとともに組み立てられ、かつフレーム本体と、雌型ラッチユニットと、停止ブロックと、を備える、ガイドフレームであって、前記フレーム本体が、前記第１の絶縁ハウジングの装着部に組み付けられ、かつ前記嵌合部が通過することを可能にする開口部を有し、前記雌型ラッチユニットおよび前記停止ブロックが、前記フレーム本体から突出し、前記嵌合部の対向する両側にそれぞれ位置決めされ、かつ嵌合空間をともに画定するように前記嵌合部から離間される、ガイドフレームと、
第２の絶縁ハウジングを備えるプラグコネクタであって、前記第２の絶縁ハウジングが、前記嵌合部に嵌合されるハウジング本体と、該ハウジング本体の片側に形成され、かつ前記雌型ラッチユニットと係合される雄型ラッチユニットと、を有する、プラグコネクタと、を備え、
該プラグコネクタが正確に挿入されると、該プラグコネクタは、嵌合方向に沿って前記嵌合空間の中に入って前記レセプタクルコネクタと嵌合し、解放可能な様式で前記雄型ラッチユニットおよび前記雌型ラッチユニットをロックさせ、位置決めさせることができ、前記プラグコネクタが不正確に挿入されると、該プラグコネクタは、前記ガイドフレームの停止ブロックに妨げられることにより、前記嵌合空間の中に入って前記レセプタクルコネクタと嵌合することができない、電気接続デバイス。
【請求項２】
前記雄型ラッチユニットは、弾性アームと、該弾性アームの両側にそれぞれ位置決めされる２つの保護ブロックと、を備え、前記ガイドフレームの停止ブロックは、その上面の中央部から凹んだノッチを有し、前記プラグコネクタが嵌合方向に沿って不正確に挿入されると、前記２つの保護ブロックは、前記停止ブロックの上面に当接し、前記弾性アームは、それに対応して前記ノッチで位置決めされ、前記停止ブロックに接触しない、請求項１に記載の電気接続デバイス。
【請求項３】
前記第２の絶縁ハウジングは、前記雄型ラッチユニットとは反対側の前記ハウジング本体の片側の角部に形成される少なくとも１つの突出ブロックをさらに有し、前記プラグコネクタが正確に挿入されるとき、前記突出ブロックは、前記停止ブロックに隣接し、前記プラグコネクタが不正確に挿入されると、前記突出ブロックは、前記雌型ラッチユニットに当接して、前記プラグコネクタが前記嵌合空間の中に入ることができないようにする、請求項１に記載の電気接続デバイス。
【請求項４】
前記第２の絶縁ハウジングは、前記雄型ラッチユニットとは反対側の前記ハウジング本体の片側の角部に形成される少なくとも１つの突出ブロックをさらに有し、前記プラグコネクタが正確に挿入されると、前記突出ブロックは、前記停止ブロックに隣接し、前記プラグコネクタが不正確に挿入されると、前記突出ブロックは、前記雌型ラッチユニットに当接して、前記プラグコネクタが前記嵌合空間の中に入ることができないようにする、請求項２に記載の電気接続デバイス。
【請求項５】
前記ガイドフレームの雌型ラッチユニットは、Ｕ字形の壁と、該Ｕ字形の壁内に形成されるラッチ穴と、を有し、前記雄型ラッチユニットの弾性アームは、前記ハウジング本体から延在する接続部と、該接続部から延在する操作部と、前記接続部と前記操作部との間に突出するラッチブロックと、を有し、前記２つの保護ブロックが、前記接続部の両側でそれぞれ位置決めされ、前記プラグコネクタが正確に挿入されると、前記２つの保護ブロックおよび前記接続部は、前記Ｕ字形の壁の内側に受容され、前記ラッチブロックは、前記ラッチ穴の中に挿入することができ、前記突出ブロックは、前記停止ブロックに隣接し、前記プラグコネクタが不正確に挿入されると、前記突出ブロックは、前記Ｕ字形の壁の上面に当接して、前記プラグコネクタが前記嵌合空間の中に入ることができないようにする、請求項４に記載の電気接続デバイス。
【請求項６】
前記嵌合部に隣接する前記停止ブロックの上面の側縁が、ガイド面として形成される、請求項１に記載の電気接続デバイス。
【請求項７】
前記第１の絶縁ハウジングの装着部は、蟻継ぎブロックと蟻溝との係合によって前記ガイドフレームと係合され、該ガイドフレームとともに前記レセプタクルコネクタは、回路基板上に装着され、嵌合方向は、前記回路基板に垂直である、請求項１に記載の電気接続デバイス。
【請求項８】
第１の絶縁ハウジングを備えるレセプタクルコネクタであって、前記第１の絶縁ハウジングが、装着部と、該装着部から突出する嵌合部と、を有する、レセプタクルコネクタと、
該レセプタクルコネクタとともに組み立てられ、かつフレーム本体と、雌型ラッチユニットと、を備える、ガイドフレームであって、前記フレーム本体が、前記第１の絶縁ハウジングの装着部に組み付けられ、かつ前記嵌合部が通過することを可能にする開口部を有し、前記雌型ラッチユニットが、前記フレーム本体から突出し、前記嵌合部から離間される、ガイドフレームと、
第２の絶縁ハウジングを備えるプラグコネクタであって、前記第２の絶縁ハウジングが、前記嵌合部に嵌合されるハウジング本体と、該ハウジング本体の片側に形成され、かつ前記雌型ラッチユニットと係合される雄型ラッチユニットと、該雄型ラッチユニットとは反対側の前記ハウジング本体の片側に形成される突起部と、を有する、プラグコネクタと、を備え、
前記プラグコネクタが正確に挿入されると、前記プラグコネクタは、嵌合方向に沿って前記レセプタクルコネクタと嵌合して、解放可能な様式で前記雄型ラッチユニットおよび前記雌型ラッチユニットをロックさせ、位置決めさせることができ、前記プラグコネクタが不正確に挿入されると、前記突起部は、前記雌型ラッチユニットに当接して、前記プラグコネクタが前記レセプタクルコネクタと嵌合することができないようにする、電気接続デバイス。
【請求項９】
前記ガイドフレームの前記雌型ラッチユニットは、Ｕ字形の壁と、該Ｕ字形の壁内に形成されるラッチ穴と、を有し、前記雄型ラッチユニットは、前記弾性アームと、前記ハウジング本体から延在する接続部と、該接続部から延在する操作部と、前記接続部と前記操作部との間に突出するラッチブロックと、を備え、２つの保護ブロックが、前記接続部の両側でそれぞれ位置決めされ、前記プラグコネクタが正確に挿入されると、前記２つの保護ブロックおよび前記接続部は、前記Ｕ字形の壁の内側に受容され、前記ラッチブロックは、前記ラッチ穴の中に挿入することができ、前記プラグコネクタが不正確に挿入されると、前記突起部は、前記Ｕ字形の壁の上面に当接する、請求項８に記載の電気接続デバイス。
【請求項１０】
前記第１の絶縁ハウジングの前記装着部は、前記蟻継ぎブロックと前記蟻溝との係合によって前記ガイドフレームと係合され、前記ガイドフレームとともに前記レセプタクルコネクタは、回路基板上に装着され、前記嵌合方向は、前記回路基板に垂直である、請求項８に記載の電気接続デバイス。
【発明の詳細な説明】
【技術分野】
【０００１】
本発明は、電気接続デバイスに関し、より具体的には、ガイドフレームを備える電気接続デバイスに関する。
【背景技術】
【０００２】
図１および図２を参照して、既存の電気接続デバイスは、レセプタクルコネクタ９１、ガイドフレーム９２、およびプラグコネクタ９３を備える。ガイドフレーム９２は、レセプタクルコネクタ９１とともに組み立てられ、レセプタクルコネクタ９１と嵌合するようにプラグコネクタ９３を誘導する雌型ラッチユニット９２１を有し、雌型ラッチユニット９２１は、電気的接続を安定的に確立するようにプラグコネクタ９３およびレセプタクルコネクタ９１を相対的に位置決めさせるように、プラグコネクタ９３のラッチブロック９３１が挿入することを可能にするラッチ穴９２２を有する。図２は、プラグコネクタ９３およびレセプタクルコネクタ９１がともに嵌合され、プラグコネクタ９３のラッチブロック９３１がガイドフレーム９２のラッチ穴９２２の中に挿入されるプラグコネクタ９３の正確に挿入された状態を示し、この時点では、プラグコネクタ９３およびレセプタクルコネクタ９１が信号を正確に送信することができる。
【０００３】
しかしながら、図３は、プラグコネクタ９３およびレセプタクルコネクタ９１がさらにともに嵌合され得るが、プラグコネクタ９３のラッチブロック９３１およびガイドフレーム９２の雌型ラッチユニット９２１がレセプタクルコネクタ９１の対向する両側でそれぞれ位置決めされるプラグコネクタ９３の不正確に挿入された状態を示し、この時点では、プラグコネクタ９３およびレセプタクルコネクタ９１が信号を送信することができない。
【０００４】
既存の電気接続デバイスには、プラグコネクタ９３が不正確に挿入されるのを防ぐための機構が提供されていないため、ユーザは、プラグコネクタ９３を不正確に挿入しないように注意する必要がある。さらに、ユーザが不注意にプラグコネクタ９３を不正確に挿入した場合、ユーザは、コネクタが損傷を受け、動作不能になったと誤解する。
【発明の概要】
【発明が解決しようとする課題】
【０００５】
したがって、本発明の目的は、プラグコネクタが不正確に挿入されるのを防ぐことができる電気接続デバイスを提供することである。
【課題を解決するための手段】
【０００６】
したがって、本発明の一実施形態によれば、電気接続デバイスは、レセプタクルコネクタ、ガイドフレーム、およびプラグコネクタを備える。レセプタクルコネクタは、第１の絶縁ハウジングを備える。第１の絶縁ハウジングは、装着部および該装着部から突出する嵌合部を有する。ガイドフレームは、レセプタクルコネクタとともに組み立てられ、フレーム本体、雌型ラッチユニット、および停止ブロックを備える。フレーム本体は、第１の絶縁ハウジングの装着部に組み立てられ、嵌合部を通過することを可能にする開口部を有する。雌型ラッチユニットおよび停止ブロックは、フレーム本体から突出し、嵌合部の対向する両側でそれぞれ位置決めされ、嵌合空間をともに画定するように嵌合部から離間される。プラグコネクタは、第２の絶縁ハウジングを備える。第２の絶縁ハウジングは、嵌合部に嵌合されるハウジング本体、および該ハウジング本体の片側で形成され、かつ雌型ラッチユニットと係合される雄型ラッチユニットを有する。プラグコネクタが正確に挿入されるとき、プラグコネクタは、嵌合方向に沿って嵌合空間の中に入ってレセプタクルコネクタと嵌合し、解放可能な様式で雄型ラッチユニットおよび雌型ラッチユニットをロックさせ、位置決めさせることができ、プラグコネクタが不正確に挿入されるとき、プラグコネクタは、ガイドフレームの停止ブロックに妨げられることにより、嵌合空間の中に入ってレセプタクルコネクタと嵌合することができない。
【０００７】
本発明の一実施形態によれば、雄型ラッチユニットは、弾性アーム、および該弾性アームの両側で位置決めされる２つの保護ブロックをそれぞれ備え、ガイドフレームの停止ブロックは、その上面の中央部から凹んだノッチを有し、プラグコネクタが嵌合方向に沿って不正確に挿入されるとき、２つの保護ブロックは、停止ブロックの上面に当接し、弾性アームは、それに対応してノッチで位置決めされ、停止ブロックに接触しない。
【０００８】
本発明の一実施形態によれば、第２の絶縁ハウジングは、雄型ラッチユニットとは反対側のハウジング本体の片側の角部で形成される少なくとも１つの突出ブロックをさらに有し、プラグコネクタが正確に挿入されるとき、突出ブロックは、停止ブロックに隣接し、プラグコネクタが不正確に挿入されるとき、突出ブロックは、雌型ラッチユニットに当接して、プラグコネクタが嵌合空間の中に入ることができないようにする。
【０００９】
本発明の一実施形態によれば、ガイドフレームの雌型ラッチユニットは、Ｕ字形の壁および該Ｕ字形の壁内に形成されるラッチ穴を有し、雄型ラッチユニットの弾性アームは、ハウジング本体から延在する接続部、該接続部から延在する操作部、および接続部と操作部との間に突出するラッチブロックを有し、２つの保護ブロックは、接続部の両側でそれぞれ位置決めされ、プラグコネクタが正確に挿入されるとき、２つの保護ブロックおよび接続部は、Ｕ字形の壁の内側に受容され、ラッチブロックは、ラッチ穴の中に挿入することができ、突出ブロックは、停止ブロックに隣接し、プラグコネクタが不正確に挿入されるとき、突出ブロックは、Ｕ字形の壁の上面に当接して、プラグコネクタが嵌合空間の中に入ることができないようにする。
【００１０】
本発明の一実施形態によれば、嵌合部に隣接する停止ブロックの上面の側縁が、ガイド面として形成される。
【００１１】
本発明の一実施形態によれば、第１の絶縁ハウジングの装着部は、蟻継ぎブロックと蟻溝との係合によってガイドフレームと係合され、ガイドフレームとともにレセプタクルコネクタは、回路基板上に装着され、嵌合方向は、回路基板に垂直である。
【００１２】
本発明の一実施形態によれば、電気接続デバイスは、レセプタクルコネクタ、ガイドフレーム、およびプラグコネクタを備える。レセプタクルコネクタは、第１の絶縁ハウジングを備え、第１の絶縁ハウジングは、装着部、および該装着部から突出する嵌合部を有する。ガイドフレームは、レセプタクルコネクタとともに組み立てられ、フレーム本体および雌型ラッチユニットを備える。フレーム本体は、第１の絶縁ハウジングの装着部に組み立てられ、嵌合部が通過することを可能にする開口部を有する。雌型ラッチユニットは、フレーム本体から突出し、嵌合部から離間される。プラグコネクタは、第２の絶縁ハウジングを備える。第２の絶縁ハウジングは、嵌合部に嵌合されるハウジング本体、該ハウジング本体の片側で形成され、かつ雌型ラッチユニットと係合される雄型ラッチユニット、および該雄型ラッチユニットとは反対側のハウジング本体の片側で形成される突起部を有する。プラグコネクタが正確に挿入されるとき、プラグコネクタは、嵌合方向に沿ってレセプタクルコネクタと嵌合して、解放可能な様式で雄型ラッチユニットおよび雌型ラッチユニットをロックさせ、位置決めさせることができ、プラグコネクタが不正確に挿入されるとき、突起部は、雌型ラッチユニットに当接して、プラグコネクタがレセプタクルコネクタと嵌合することができないようにする。
【００１３】
本発明の一実施形態によれば、ガイドフレームの雌型ラッチユニットは、Ｕ字形の壁および該Ｕ字形の壁内に形成されるラッチ穴を有し、雄型ラッチユニットは、弾性アーム、ハウジング本体から延在する接続部、該接続部から延在する操作部接続部と操作部との間に突出するラッチブロックを備え、２つの保護ブロックは、接続部の両側でそれぞれ位置決めされ、プラグコネクタが正確に挿入されるとき、２つの保護ブロックおよび接続部は、Ｕ字形の壁の内側に受容され、ラッチブロックは、ラッチ穴の中に挿入することができ、プラグコネクタが不正確に挿入されるとき、突起部は、Ｕ字形の壁の上面に当接する。
【００１４】
本発明の一実施形態によれば、第１の絶縁ハウジングの装着部は、蟻継ぎブロックと蟻溝との係合によってガイドフレームと係合され、ガイドフレームとともにレセプタクルコネクタは、回路基板上に装着され、嵌合方向は、回路基板に垂直である。
【発明の効果】
【００１５】
本発明の効果は以下の通りである。本発明のプラグコネクタが不正確に挿入されるとき、ガイドフレームからのブロッキングにより、レセプタクルコネクタと嵌合することができず、それによって、ユーザが不正確に挿入するのを効果的に防ぐ。
【００１６】
本発明の他の特徴および効果は、図面における特定の実施形態によって明らかになる。
【図面の簡単な説明】
【００１７】
【図１】プラグコネクタがレセプタクルコネクタと嵌合されていない状態の既存の電気接続デバイスを示す斜視図である。
【図２】プラグコネクタが嵌合され、かつレセプタクルコネクタの中に正確に挿入されている状態の既存の電気接続デバイスを示す斜視図である。
【図３】プラグコネクタが嵌合され、かつレセプタクルコネクタの中に不正確に挿入されている状態の既存の電気接続デバイスを示す斜視図である。
【図４】本発明の第１の実施形態の電気接続デバイスを示す斜視図である。
【図５】第１の実施形態のレセプタクルコネクタとガイドフレームとの組立関係を示す分解斜視図である。
【図６】第１の実施形態のプラグコネクタおよびレセプタクルコネクタの嵌合状態を示す正面図である。
【図７】図６の線ＶＩＩ−ＶＩＩによる断面図である。
【図８】第１の実施形態のレセプタクルコネクタとガイドフレームとの組立関係および回路基板を示す分解斜視図である。
【図９】図８の組立図である。
【図１０】第１の実施形態のプラグコネクタの正確に挿入された状態を示す斜視図である。
【図１１】第１の実施形態のプラグコネクタの不正確に挿入された状態を示す斜視図である。
【図１２】本発明の第２の実施形態の電気接続デバイスを示す斜視図である。
【図１３】第２の実施形態のプラグコネクタの不正確に挿入された状態を示す斜視図である。
【図１４】本発明の第３の実施形態の電気接続デバイスを示す斜視図である。
【図１５】第３の実施形態のプラグコネクタの不正確に挿入された状態を示す斜視図である。
【図１６】本発明の第４の実施形態の電気接続デバイスを示す斜視図である。
【図１７】本発明の第５の実施形態の電気接続デバイスを示す斜視図である。
【図１８】第５の実施形態のプラグコネクタの不正確に挿入された状態を示す斜視図である。
【発明を実施するための形態】
【００１８】
本発明を詳細に説明する前に、以下の説明において、同様の要素が同様の参照番号によって示されることに留意されたい。
【００１９】
図４〜７を参照して、本発明の第１の実施形態の電気接続デバイスは、レセプタクルコネクタ１、ガイドフレーム２、およびプラグコネクタ３を備える。
【００２０】
レセプタクルコネクタ１は、第１の絶縁ハウジング１１、および第１の絶縁ハウジング１に提供される複数の端子１２を備える。第１の絶縁ハウジング１１は、装着部１１１および装着部１１１から突出する嵌合部１１２有し、嵌合部１１２は、２つのスロット１１３とともに形成される。複数の端子１２は、スロット１１３のうちの１つの中に延在する弾性接触部１２１、および装着部１１１から外へ延在し、かつ回路基板８（図８参照）に電気的に接続される尾部１２２をそれぞれ有する。
【００２１】
ガイドフレーム２は、レセプタクルコネクタ１とともに組み立てられ、フレーム本体２１雌型ラッチユニット２２、および停止ブロック２３を備える。フレーム本体２１は、第１の絶縁ハウジング１の装着部１１１に組み立てられ、嵌合部１１２が通過することを可能にする開口部２１１を有する。具体的には、第１の絶縁ハウジング１の装着部１１１は、蟻継ぎブロック２１２と蟻溝１１４との係合によってガイドフレーム２と係合され、この実施形態では、装着部１１１は、対称な位置で位置決めされる２つの蟻溝１１４とともに形成され、ガイドフレーム２のフレーム本体２１は、２つの蟻溝１１４に対応し、かつ開口部２１１の中に突出する２つの蟻継ぎブロック２１２とともにそれぞれ形成される。同等の実施形態では、蟻溝がフレーム本体２１内に形成されてもよく、蟻継ぎブロックが装着部１１１内に形成される。雌型ラッチユニット２２および停止ブロック２３は、フレーム本体２１から突出し、嵌合部１１２の対向する両側でそれぞれ位置決めされ、嵌合空間２４をともに画定するように嵌合部１１２から離間される。雌型ラッチユニット２２は、Ｕ字形の壁２２１およびＵ字形の壁２２１内に形成されるラッチ穴２２２を有する。停止ブロック２３は、その上面の中央部から凹んだノッチ２３１を有し、嵌合部１１２に隣接する停止ブロック２３の上面の側縁がガイド面２３２として形成される。図８および図９を参照して、ガイドフレーム２とともにレセプタクルコネクタ１は、回路基板８上に装着され、ねじ８１によって締められる。レセプタクルコネクタ１およびガイドフレーム２が回路基板８上に装着されるとき、スロット１１３および嵌合空間２４の入口は、プラグコネクタ３が回路基板８に垂直な嵌合方向Ｉに沿ってレセプタクルコネクタ１と嵌合することを可能にするように上方に向く。
【００２２】
図４、図６、図７、および図１０を参照して、プラグコネクタ３は、第２の絶縁ハウジング４、および第２の絶縁ハウジング４に提供される複数の導電性挿入プレート５を備える。第２の絶縁ハウジング４は、嵌合部１１２に嵌合されるハウジング本体４１、およびハウジング本体４１の片側に形成され、かつ雌型ラッチユニット２２と係合される雄型ラッチユニット４２を有する。雄型ラッチユニット４２は、弾性アーム４３、および弾性アーム４３の両側にそれぞれ位置決めされる２つの保護ブロック４４を備える。弾性アーム４３は、ハウジング本体４１から延在する接続部４３１、接続部４３１から延在する操作部４３２、および接続部４３１と操作部４３２との間に突出するラッチブロック４３３を有する。弾性アーム４３は、ハウジング本体４１に向かって弾性的に移動することができ、操作部４３２の両側にそれぞれ突出する制限部４３４をさらに有して、ハウジング本体４１から延在する２つの停止部４５にそれぞれ当接し、それによって、弾性アーム４３を過度に外方に傾けることを制限する。２つの保護ブロック４４は、衝突されることから接続部４３１を保護するように接続部４３１の両側にそれぞれ位置決めされる。プラグコネクタ３が正確に挿入されるとき、プラグコネクタ３は、レセプタクルコネクタ１と嵌合する嵌合方向Ｉに沿って嵌合空間２４の中に入り、解放可能な様式で雄型ラッチユニット４２および雌型ラッチユニット２２をロックさせ、位置決めさせることができる。具体的には、２つの保護ブロック４４および接続部４３１は、雌型ラッチユニット２２のＵ字形の壁２２１の内側に受容され、嵌合方向Ｉに沿うプラグコネクタ３の移動プロセス中に、雄型ラッチユニット４２の弾性アーム４３は、ハウジング本体４１に接近するようにＵ字形の壁２２１によって最初に押し付けられ、プラグコネクタ３がプリセット位置に達するとき、弾性アーム４３は、ラッチブロック４３３がラッチ穴２２２の中に入ることができ、それによって、プラグコネクタ３をロックすることを可能にするように弾性的に外方に移動する。この時点では、プラグコネクタ３の導電性挿入プレート５は、電気的接続を確立するレセプタクルコネクタ１の端子１２に接触するように、レセプタクルコネクタ１のスロット１１３内に挿入され、受容される。言い換えると、ガイドフレーム２の雌型ラッチユニット２２および停止ブロック２３の誘導によって、プラグコネクタ３の導電性挿入プレート５は、レセプタクルコネクタ１のスロット１１３とより容易に整列され、停止ブロック２３がガイド面２３２を有するため、プラグコネクタ３のハウジング本体４１は、嵌合空間２４の中により滑らかに入ることができる。プラグコネクタ３およびレセプタクルコネクタ１を係合解除することが所望される場合、弾性アーム４３の操作部４３２に力が印加され、操作部４３２は、ハウジング本体４１の方向に向かって押し付けられ、ラッチブロック４３３をラッチ穴２２２から外へ移動させ、すなわち、ロッキングが解放されるように、接続部４３１およびラッチブロック４３３を駆動することができる。
【００２３】
図１１を参照して、プラグコネクタ３が不正確に挿入されるとき、２つの保護ブロック４４は、停止ブロック２３の上面に当接し、それによって、プラグコネクタ３が嵌合空間２４の中に入ることができず、かつレセプタクルコネクタ１と嵌合できないようにさせ、したがって、ユーザが不正確に挿入するのを防ぐことができる。さらに、２つの保護ブロック４４が停止ブロック２３に当接するとき、弾性アーム４３の接続部４３１は、それに対応してノッチ２３１で位置決めされるが、停止ブロック２３に接触せず、それによって、接続部４３１が衝突されたり、損傷を受けないようにする。
【００２４】
図１２および図１３を参照して、本発明の第２の実施形態の電気接続デバイスは、第１の実施形態のものと実質的に同一であるが、第２の実施形態では、プラグコネクタ３の第２の絶縁ハウジング４は、雄型ラッチユニット４２とは反対側のハウジング本体４１の片側の２つの角部に形成される２つの突出ブロック４６をさらに有する。図１２に示されるように、プラグコネクタ３が正確に挿入されるとき、２つの突出ブロック４６間の間隔は、ガイドフレーム２の停止ブロック２３を受容することができ、すなわち、２つの突出ブロック４６は、停止ブロック２３に隣接して位置決めされる。図１３に示されるように、プラグコネクタ３が不正確に挿入されるとき、２つの突出ブロック４６は、Ｕ字形の壁２２１の上面に当接して、プラグコネクタ３が嵌合空間２４の中に入ることができないようにし、したがって、ユーザが不正確に挿入するのを防ぐことができる。この実施形態では、突出ブロック４６の数は２つであるが、それらのうちの１つが提供される場合、これはまた、不正確に挿入するのを防ぐ効果を得ることができる。
【００２５】
図１４および図１５を参照して、本発明の第３の実施形態の電気接続デバイスは、第１の実施形態のものと実質的に同一であるが、第３の実施形態では、ガイドフレーム２は、停止ブロック２３を備えないが、プラグコネクタ３の第２の絶縁ハウジング４は、雄型ラッチユニット４２とは反対側のハウジング本体４１の片側に形成される突起部４７をさらに有する。図１４に示されるように、プラグコネクタ３が正確に挿入されるとき、突起部４７は、ガイドフレーム２のフレーム本体２１に自由に接近させることができる。図１５に示されるように、プラグコネクタ３が不正確に挿入されるとき、突起部４７は、雌型ラッチユニット２２のＵ字形の壁２２１に当接し、それによって、プラグコネクタ３がレセプタクルコネクタ１と嵌合することをできないようにし、したがって、ユーザが不正確に挿入するのを防ぐことができる。この実施形態では、突起部４７は、矩形の突出リブであるが、突起部４７はまた、角部または第２の実施形態にあるような角部に位置決めされる２つの突出ブロックまたは１つの突出ブロックであることも可能である。
【００２６】
図１６を参照して、本発明の第４の実施形態の電気接続デバイスは、第２の実施形態のものと実質的に同一であるが、第４の実施形態では、複数のレセプタクルコネクタ１が並列様式で提供され、個別のガイドフレーム２が単一のものとして一体的に形成される。しかしながら、複数のプラグコネクタ３は、単一の対応するレセプタクルコネクタ１と個別に嵌合することができる。同様に、それぞれのプラグコネクタ３に対して、これは、不正確に挿入するのを防ぐ効果を得ることができる。
【００２７】
図１７および図１８を参照して、本発明の第５の実施形態の電気接続デバイスは、第４の実施形態のものと実質的に同一であるが、第５の実施形態では、複数のプラグコネクタ３も並列様式で提供され、それに対応して同時に複数のレセプタクルコネクタ１と嵌合し、プラグコネクタ３の弾性アーム４３の個別の操作部４３２が、同時に操作を容易にするようにともに接続される。同様に、プラグコネクタ３が不正確に挿入されるとき、突出ブロック４６は、Ｕ字形の壁２２１の上面に当接し、したがって、ユーザが不正確に挿入するのを防ぐことができる。
【００２８】
結論として、本発明の実施形態のプラグコネクタ３が不正確に挿入されるとき、プラグコネクタ３は、ガイドフレーム２から遮断することによりレセプタクルコネクタ１と嵌合することができず、ユーザが不正確に挿入するのを効果的に防ぎ、本発明の目的を確実に達成することができる。
【００２９】
上記で説明されることは、本発明の特定の実施形態にすぎず、本発明の実装の範囲を限定することができない、すなわち、特許請求の範囲および本発明の内容によって行われる単純な同等の変形および修正は、依然として、本発明の範囲内に収まる。
【産業上の利用可能性】
【００３０】
本発明は、電気接続デバイスに適用することができる。
【符号の説明】
【００３１】
１  レセプタクルコネクタ
１１  第１の絶縁ハウジング
１１１  装着部
１１２  嵌合部
１１３  スロット
１１４  蟻溝
１２  端子
１２１  弾性接触部
１２２  尾部
２  ガイドフレーム
２１  フレーム本体
２１１  開口部
２１２  蟻継ぎブロック
２２  雌型ラッチユニット
２２１  Ｕ字形の壁
２２２  ラッチ穴
２３  停止ブロック
２３１  ノッチ
２３２  ガイド面
【図１】
2014135280.tif 000003
【図２】
2014135280.tif 000004
【図３】
2014135280.tif 000005
【図４】
2014135280.tif 000006
【図５】
2014135280.tif 000007
【図６】
2014135280.tif 000008
【図７】
2014135280.tif 000009
【図８】
2014135280.tif 000010
【図９】
2014135280.tif 000011
【図１０】
2014135280.tif 000012
【図１１】
2014135280.tif 000013
【図１２】
2014135280.tif 000014
【図１３】
2014135280.tif 000015
【図１４】
2014135280.tif 000016
【図１５】
2014135280.tif 000017
【図１６】
2014135280.tif 000018
【図１７】
2014135280.tif 000019
【図１８】
2014135280.tif 000020